(57)【要約】      （修正有）【課題】折畳み可能な構成を有する上、操作方法が変化性に富み、且つ展開状態において占めるスペースを節約できる筋力トレーニングマシンを提供する。【解決手段】正面に台座が配置されている第１の直立フレーム３と、第１の直立フレームの右端部に枢接され重り４２が配置されている第２の直立フレーム４と、第１の直立フレームの左端部に枢接され重り５２が配置されている第３の直立フレーム５とを備える。第２及び第３の直立フレームのそれぞれは、第１の直立フレームとの枢接で台座に接近する方向に揺動して第１の直立フレームと直交する収納状態になったり、台座から離間方向に揺動して第１の直立フレームと鈍角になる展開状態になったりすることができる。使用者は、展開状態において台座に座ったり横になったりして重りを引き上げて筋力を鍛える。【選択図】図１
0003162984.tif 000002
【実用新案登録請求の範囲】
【請求項１】
正面に台座（３２）が配置されている第１の直立フレーム（３）と、前記第１の直立フレームの右端部に枢接されている上、重りが配置されている第２の直立フレーム（４）と、前記第１の直立フレームの左端部に枢接されている上、重りが配置されている第２の直立フレーム（５）とを備えており、
且つ、前記第１、第２及び第３の直立フレーム（３、４、５）は、前記第２及び第３の直立フレーム（４、５）のそれぞれが、前記第１の直立フレーム（３）との枢接により、前記台座（３２）に接近する方向に揺動して前記第１の直立フレーム（３）と直交する収納状態になったり、前記収納状態から、第２及び第３の直立フレームのそれぞれが前記台座（３２）から離間方向に揺動して前記第１の直立フレーム（３）と鈍角になる展開状態になったりすることができるように構成されており、
前記展開状態において使用者は前記台座（３２）に座ったり横になったりして前記重りを引き上げて筋力を鍛えることができることを特徴とする筋力トレーニングマシン。
【請求項２】
前記第１、第２及び第３の直立フレーム（３、４、５）は、前記収納状態において全体が立方体となるように構成されていることを特徴とする請求項１に記載の筋力トレーニングマシン。
【請求項３】
前記第１の直立フレーム（３）の上端部に第１の横バー（３１）が配置され、
前記第２の直立フレーム（４）上端部に第２の横バー（４１）が配置され、
前記第３の直立フレーム（５）の上端部に第３の横バー（５１）が配置されており、
また、前記第１の直立フレーム（３）と前記第２の直立フレーム（４）との枢接は、前記第１の横バー（３１）と前記第２の横バー（４１）との間に形成されており、前記第１の直立フレーム（３）と前記第３の直立フレーム（５）との枢接は、前記第１の横バー（３１）と前記第３の横バー（５１）との間に形成されていることを特徴とする請求項１に記載の筋力トレーニングマシン。
【請求項４】
前記第２の横バー（４１）から、ガイドバー（６２）が前記第２の横バーと直交するように前記第１の直立フレームの正面側に延伸しており、
前記第３の横バー（５１）から、ガイドプレート（６１）が前記第３の横バーと直交するように前記第１の直立フレームの正面側に延伸しており、
前記ガイドバー（６２）の先端には、スライド用突起（６２２）が設置されており、
前記ガイドプレート（６１）の表面には、円弧形のガイド溝（６１０）が、前記スライド用突起（６２２）に挿入されている上、前記第１、第２及び第３の直立フレーム（３、４、５）が前記収納状態と前記展開状態とに変形されるにおいて、前記スライド用突起を案内することができるように形成されていることを特徴とする請求項３に記載の筋力トレーニングマシン。
【請求項５】
前記第１の横バー（３１）から、制限バー（７１）が、前記第１の横バー（３１）と直交するように前記第１の直立フレームの正面側に延伸しており、且つ、前記ガイドプレートに上から重なるように揺動することができるように構成されており、
前記制限バー（７１）には、第１の制限突起（７２）及び第２の制限突起（７３）が凸設されており、
前記ガイドプレート（６１）には、第１の制限孔（６１３）及び第２の制限孔（６１４）が形成されており、
前記第１及び第２の制限突起と、前記第１及び第２の制限孔とは、前記制限バーが前記ガイドプレートの上面に重なっており、前記第２の直立フレーム（４）と前記第３の直立フレーム（５）とが前記第１の直立フレーム（３）に対して離間して前記展開状態に揺動すると、前記第１の制限突起が丁度前記第１の制限孔に嵌合することが出来、前記第２の直立フレームと前記第３の直立フレームとが前記第１の直立フレームに対して接近して前記収納状態に揺動し、前記制限バーが前記ガイドプレートと重なり合うように揺動すると、前記第２の制限突起が丁度前記第２の制限孔に嵌合することが出来るように構成されていることを特徴とする請求項４に記載の筋力トレーニングマシン。
【請求項６】
前記台座は、前記展開状態において先端が前記第１の直立フレームから離間した利用しやすい位置まで揺動できるように、前記第１の直立フレームに枢接されており、前記先端が前記第１の直立フレームに接近する位置まで揺動されると、前記第２の直立フレームと前記第３の直立フレームとの前記収納状態への切り替えを妨げずに収納されるように構成されていることを特徴とする請求項１〜３のいずれか一項に記載の筋力トレーニングマシン。
【考案の詳細な説明】
【技術分野】
【０００１】
本考案は筋力トレーニングマシンに関し、特に、折畳み可能な構成を有する上、操作方法が変化性に富み、且つ、展開状態においても占めるスペースを節約できる筋力トレーニングマシンに関する。
【背景技術】
【０００２】
従来の筋力トレーニングマシンは、例えば図８に示されるように、中央の柱体１１に座席１５が設けられ、両翼の筐体１４、１４にそれぞれ重り１２、１２が配置されており、使用者が座席に座って滑車装置１３を介して重り１２、１２を引き上げることで筋力を鍛えることができるように構成されている。
しかし、このように構成されている筋力トレーニングマシンの設置には、両翼の筐体１４、１４と座席１５が占めるスペースを常に確保する必要があり、特に日本の一般住宅内では利用がほぼ不可能と思われる。
【０００３】
一方、利用しない時は折畳んで収納できる筋力トレーニングマシンも既に開発されている。例えば前面側に扉を有する筐体と、筐体内に配置されている重りと、筐体の底部に枢接されていて、筐体内に収納でき、且つ、使用のため扉の外に展開できる乗り台とを有する筋力トレーニングマシンがある。
しかしながら、このような筋力トレーニングマシンは、使用者が筐体に向かいながら筐体側にある滑車の取っ手を操作することでしかトレーニングをすることが出来ず、鍛える筋肉の部位が限られる上、使用時の展開状態において占める空間が、図８に示される折り畳み不可能なトレーニングマシンより広くなっている。
【先行技術文献】
【特許文献】
【０００４】
【特許文献１】特開平９−２９４８２３号
【考案の概要】
【考案が解決しようとする課題】
【０００５】
従って、本考案は折畳み可能な構成を有する上、操作方法が変化性に富み、且つ、展開状態において占めるスペースを節約できる筋力トレーニングマシンの提供を目的とする。
【課題を解決するための手段】
【０００６】
上記問題点に鑑みて、本考案は、正面に台座（３２）が配置されている第１の直立フレーム（３）と、前記第１の直立フレームの右端部に枢接されている上、重りが配置されている第２の直立フレーム（４）と、前記第１の直立フレームの左端部に枢接されている上、重りが配置されている第２の直立フレーム（５）とを備えており、且つ、前記第１、第２及び第３の直立フレーム（３、４、５）は、前記第２及び第３の直立フレーム（４、５）のそれぞれが前記第１の直立フレーム（３）との枢接により、前記台座（３２）に接近する方向に揺動して前記第１の直立フレーム（３）と直交する収納状態になったり、前記収納状態から、第２及び第３の直立フレームのそれぞれが前記台座（３２）から離間方向に揺動して前記第１の直立フレーム（３）と鈍角になる展開状態になったりすることができるように構成されており、前記展開状態において使用者は、前記展開状態において前記台座（３２）に座ったり横になったりして前記重りを引き上げて筋力を鍛えることができることを特徴とする筋力トレーニングマシンを提供する。
【０００７】
上記筋力トレーニングマシンにおいて、前記第１、第２及び第３の直立フレーム（３、４、５）は、前記収納状態において全体が立方体となるように構成されることが好ましい。
また、上記筋力トレーニングマシンは、前記第１の直立フレーム（３）の上端部に第１の横バー（３１）が配置され、前記第２の直立フレーム（４）上端部に第２の横バー（４１）が配置され、前記第３の直立フレーム（５）の上端部に第３の横バー（５１）が配置されており、また、前記第１の直立フレーム（３）と前記第２の直立フレーム（４）との枢接は、前記第１の横バー（３１）と前記第２の横バー（４１）との間に形成されており、前記第１の直立フレーム（３）と前記第３の直立フレーム（５）との枢接は、前記第１の横バー（３１）と前記第３の横バー（５１）との間に形成されるように構成することが好ましい。
【０００８】
前記第２の横バー（４１）から、ガイドバー（６２）が前記第２の横バーと直交するように前記第１の直立フレームの正面側に延伸しており、前記第３の横バー（５１）から、ガイドプレート（６１）が前記第３の横バーと直交するように前記第１の直立フレームの正面側に延伸しており、前記ガイドバー（６２）の先端には、スライド用突起（６２２）が設置されており、前記ガイドプレート（６１）の表面には、円弧形のガイド溝（６１０）が、前記スライド用突起（６２２）に挿入されている上、前記第１、第２及び第３の直立フレーム（３、４、５）が前記収納状態と前記展開状態とに変形されるにおいて、前記スライド用突起を案内することができるように形成されることが更に好ましい。
【０００９】
また、上記筋力トレーニングマシンにおいて、前記第１の横バー（３１）から、制限バー（７１）が、前記第１の横バー（３１）と直交するように前記第１の直立フレームの正面側に延伸しており、且つ、前記ガイドプレートに上から重なるように揺動することができるように構成されている。
前記制限バー（７１）には、第１の制限突起（７２）及び第２の制限突起（７３）が凸設されており、前記ガイドプレート（６１）には、第１の制限孔（６１３）及び第２の制限孔（６１４）が形成されており、前記第１及び第２の制限突起と、前記第１及び第２の制限孔とは、前記制限バーが前記ガイドプレートの上面に重なっており、前記第２の直立フレーム（４）と前記第３の直立フレーム（５）とが前記第１の直立フレーム（３）に対して離間して前記展開状態に揺動すると、前記第１の制限突起が丁度前記第１の制限孔に嵌合することが出来、前記第２の直立フレームと前記第３の直立フレームとが前記第１の直立フレームに接近して前記収納状態に揺動し、前記制限バーが前記ガイドプレートと重なり合うように揺動すると、前記第２の制限突起が丁度前記第２の制限孔に嵌合することが出来るように構成されていることが好ましい。
【００１０】
また、上記筋力トレーニングマシンにおいて、前記台座は、前記展開状態において先端が前記第１の直立フレームから離間した利用しやすい位置まで揺動できるように、前記第１の直立フレームに枢接されており、前記先端が前記第１の直立フレームに接近する位置まで揺動されると、前記第２の直立フレームと前記第３の直立フレームとの前記収納状態への切り替えを妨げずに収納されるように構成されていることが更に好ましい。
【考案の効果】
【００１１】
上記構成により、本考案は重りが中央の柱体両翼の筐体にそれぞれ設けられており、且つ折畳み可能な構成を有するので、操作方法が変化性に富み、且つ、収納状態においても展開状態において占めるスペースを節約できる筋力トレーニングマシンを提供することができる。
【図面の簡単な説明】
【００１２】
【図１】展開状態における本考案の筋力トレーニングマシンの斜視図である。
【図２】同本筋力トレーニングマシンの台座のみが収納されている状態の斜視図である。
【図３】収納状態における同筋力トレーニングマシン全体の斜視図である。
【図４】図２に示されている状態の上面図である。
【図５】図２に示されている状態の下面図である。
【図６】図３に示されている状態の上面図である。
【図７】図３に示されている状態の下面図である。
【図８】従来の筋力トレーニングマシンの斜視図である。
【考案を実施するための形態】
【００１３】
以下、図１〜図７を参照しながら、本考案の筋力トレーニングマシンの好ましい実施形態について説明する。
図１は、本実施形態の筋力トレーニングマシンの展開状態における斜視図、図２は、台座のみが収納状態になっている場合の斜視図、図３は、全体が収納状態になっている場合の斜視図である。
【００１４】
これらの図に示されるように、本考案の筋力トレーニングマシンは、正面に台座３２が配置されている第１の直立フレーム３と、第１の直立フレーム３の右端部に枢接されている上、重り４２が配置されている第２の直立フレーム４と、第１の直立フレーム３の左端部に枢接されている上、重り５２が配置されている第２の直立フレーム５とを備えている。
【００１５】
そのうち、台座３２は、板体３２１と、支持台３２２とを有し、該板体３２１は、枢接端部３２３で第１の直立フレーム３の正面に枢接されており、且つ、先端３２４が第１の直立フレーム３から離間した展開状態（図１参照）と、先端３２４が第１の直立フレーム３に接近する収納位置とに揺動されて切り替えることができるように構成されている。
収納位置に揺動された台座３２は、第１の直立フレーム３に取り付けられている固定ピン３３によって一時係止され、固定することができる。
【００１６】
また、支持台３２２は、板体３２１の先端３２４近くに枢支されており、該板体とほぼ直交になったり（図１参照）、または、平行になったりすることができるように構成されている（図２参照）。
更に、第１、第２及び第３の直立フレーム３、４、５は、第２及び第３の直立フレーム４、５が図１に示されている展開状態から図３に示されているように、前記第１の直立フレーム３とのそれぞれの枢接によって、台座３２に接近する方向に揺動して第１の直立フレーム３と直交する収納状態になることができる。また、図３に示されている収納状態から図１に示されているように、台座３２から離間方向に揺動して第２及び第３の直立フレーム４、５が第１の直立フレーム３と鈍角になる展開状態になることができるように構成されている。従って、使用者は、前記展開状態において台座３２に座ったり横になったりして前記重りを引き上げ、筋力トレーニングをすることができる。
【００１７】
また、第２及び第３の直立フレーム４、５の下側縁近くには、揺動を補助するホイール４６、５６と、それぞれ上記展開状態及び収納状態に応じて展開及び収納することができる延伸支持バー４５、５５とを有している。延伸支持バー４５、５５は、図２及び図２の下面図である図５に示されているように、展開状態への移行と共に展開されて筋力トレーニング全体の設置安定性を高めることができ、そして図３及び図３の下面図である図７に示されているように、収納状態への収納と共に収納されて筋力トレーニング全体が占めるスペースを節約することができる。
【００１８】
また、この第２及び第３の直立フレーム４、５は、寸法が対称になっており、且つ、図３に示されている収納状態において筋力トレーニングマシン全体が１つの立方体となることができるように構成されている。前記第１の直立フレーム３の上端部に第１の横バー３１が配置され、第２の直立フレーム４上端部に第２の横バー４１が配置され、第３の直立フレーム５の上端部に第３の横バー５１が配置されており、また、第１の直立フレーム３と第２の直立フレーム４との間の枢接は、第１の横バー３１と第２の横バー４１との間に形成され、第１の直立フレーム３と第３の直立フレーム５との間の枢接は、第１の横バー３１と第３の横バー５１との間に形成されている。
【００１９】
更に、図４〜図７に示されているように、第１、第２及び第３の直立フレーム３、４、５の間には、ガイドプレート６１とガイドバー６２とからなる案内手段６が組み込まれている。ガイドバー６２は、第２の直立フレーム４の第２の横バー４１から、第２の横バー４１と直交するように第１の直立フレーム３の正面側に延伸しており、ガイドプレート６１は、第３の直立フレーム５の第３の横バー５１から、第３の横バー５１と直交するように第１の直立フレーム３の正面側に延伸している。
【００２０】
ガイドバー６２の先端には、スライド用突起６２２が設置されており、ガイドプレート６１の表面には、円弧形のガイド溝６１０が、スライド用突起６２２に挿入されている上、第１、第２及び第３の直立フレーム３、４、５が前記収納状態と前記展開状態とに変形されるにおいて、スライド用突起６２２を案内することによって、第２及び第３の直立フレーム４、５が第１の直立フレーム３に対して同時に揺動できるように構成されている。
【００２１】
更に、本実施形態の筋力トレーニングマシンは、ガイドプレート６１とガイドバー６２の相対運動を一時制限することによって、第２及び第３の直立フレーム４、５を前記展開状態または収納状態に固定することができる制限バー７１を備えている。制限バー７１は、第１の横バー３１に上下揺動可能に取り付けられている上、第１の横バー３１と直交すると共に、前記揺動によってガイドプレート６１に上から重なることができる長さを有している。
【００２２】
この制限バー７１の下面には、第１の制限突起７２及び第２の制限突起７３が凸設されており、ガイドプレート６１には、第１の制限突起７２及び第２の制限突起７３にそれぞれ対応する第１の制限孔６１３及び第２の制限孔６１４が形成されている。この第１及び第２の制限突起７２、７３と、第１及び第２の制限孔６１３、６１４との対応関係は、制限バー７１がガイドプレート６１の上面に重なり、且つ第２の直立フレーム４と第３の直立フレーム５とが第１の直立フレーム３に対して図１、図４、図５に示されている展開状態に揺動すると、第１の制限突起７２が丁度第１の制限孔６１３に嵌合することが出来、また、第２の直立フレーム４と第３の直立フレーム５とが第１の直立フレーム３に対して前記収納状態に揺動すると、制限バー７１がガイドプレート６１の上面に重なり、第２の制限突起７３が丁度第２の制限孔６１４に嵌合することが出来るように構成されている。
【産業上の利用可能性】
【００２３】
上記構成により、本考案は重りが中央の柱体両翼の筐体にそれぞれ設けられており、且つ折畳み可能な構成を有するので、操作方法が変化性に富み、且つ、収納状態においても展開状態においても占めるスペースを節約できる筋力トレーニングマシンを提供することができる。
【符号の説明】
【００２４】
３  第１の直立フレーム
３１  第１の横バー
３２  台座
３２１  板体
３２２  支持台
３２３  枢接端部
３２４  先端
３３  固定ピン
４  第２の直立フレーム
４１  第２の横バー
４２  重り
４５  延伸支持バー
４６  ホイール
５  第２の直立フレーム
５１  第３の横バー
５２  重り
５５  延伸支持バー
５６  ホイール
６  案内手段
６１  ガイドプレート
６１０  ガイド溝
６１３  第１の制限孔
６１４  第２の制限孔
６２  ガイドバー
６２２  スライド用突起
７１  制限バー
７２  第１の制限突起
７３  第２の制限突起
【図１】
0003162984.tif 000003
【図２】
0003162984.tif 000004
【図３】
0003162984.tif 000005
【図４】
0003162984.tif 000006
【図５】
0003162984.tif 000007
【図６】
0003162984.tif 000008
【図７】
0003162984.tif 000009
【図８】
0003162984.tif 000010